(57)【要約】【課題】容積補償法により非観血的に１心拍ごとの血圧測定を行う場合に、被測定部位に装着されるカフの圧力を適切に制御すること。【解決手段】  複数台のポンプを有し、カフ圧を調節するための圧力調節部を備える。被測定部位の動脈の容積を検出して動脈容積信号として出力する動脈容積検出部を備える。第１の台数のポンプを用いて第１の能力で圧力調節部を動作させることによりカフ圧を変化させて、動脈容積信号の脈波による変化成分の振幅が最大になった時点の動脈容積信号の直流成分を、動脈容積についての制御目標値として決定する（Ｓ４）。その後、フィードバック制御を行って、動脈容積信号が制御目標値と一致するように、圧力調節部によってカフ圧を制御する（Ｓ８〜Ｓ１１）。このカフ圧を制御する段階で、第１の台数よりも多い第２の台数のポンプを用いて第１の能力よりも高い第２の能力で圧力調節部を動作させる（Ｓ５〜Ｓ６）。【選択図】図２
2014014556.tif 000002
【特許請求の範囲】
【請求項１】
容積補償法により非観血的に１心拍ごとの血圧測定を行う電子血圧計であって、
被測定部位に装着されるカフと、
上記カフに流体を供給する複数台のポンプを有し、上記カフの圧力を調節するための圧力調節部と、
上記カフの圧力を検出する圧力検出部と、
上記被測定部位の動脈の容積を検出して動脈容積信号として出力する動脈容積検出部と、
第１の台数のポンプを用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定する第１制御部と、
上記制御目標値が決定された後、フィードバック制御を行って、上記動脈容積信号が上記制御目標値と一致するように、上記圧力調節部によって上記カフの圧力を制御する第２制御部とを備え、
上記第２制御部は、上記カフの圧力を制御するために、上記第１の台数よりも多い第２の台数のポンプを用いて上記第１の能力よりも高い第２の能力で上記圧力調節部を動作させることを特徴とする電子血圧計。
【請求項２】
請求項１に記載の電子血圧計において、
上記第２制御部は、被測定者の血圧値に基づいて、上記第２の台数を設定することを特徴とする電子血圧計。
【請求項３】
請求項２に記載の電子血圧計において、
上記第１制御部は、上記動脈容積についての制御目標値を決定するとともに、被測定者の第１の血圧値を検出し、
上記第２制御部は、上記第１制御部が検出した第１の血圧値に基づいて、上記第２の台数を設定することを特徴とする電子血圧計。
【請求項４】
請求項３に記載の電子血圧計において、
上記第２制御部は、上記第２の台数を上記第１制御部が検出した第１の血圧値に基づいて設定した後、上記圧力調節部によって上記カフの圧力を制御している間に、上記圧力検出部が出力するカフ圧信号に基づいて得られた第２の血圧値に基づいて、上記第２の台数を切り替えて設定することを特徴とする電子血圧計。
【請求項５】
請求項４に記載の電子血圧計において、
上記第２制御部は、上記第１の血圧値と上記第２の血圧値との間の差が予め定められた閾値未満であれば、上記第２の台数を切り替えずに維持することを特徴とする電子血圧計。
【請求項６】
請求項２に記載の電子血圧計において、
上記被測定者の血圧値を記録する記憶部をさらに備え、
上記第２制御部は、上記記憶部に記録されている上記被測定者の血圧値に基づいて、上記第２の台数を設定することを特徴とする電子血圧計。
【請求項７】
請求項１から６までのいずれか一つに記載の電子血圧計において、
上記圧力調節部は、上記カフから流体を排出する複数台の弁を有し、
上記第１制御部は、第１の台数のポンプおよび第３の台数の弁を用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定し、
上記第２制御部は、上記カフの圧力を制御するために、上記第１の台数よりも多い第２の台数のポンプおよび上記第３の台数よりも多い第４の台数の弁を用いて上記第１の能力よりも高い第２の能力で上記圧力調節部を動作させることを特徴とする電子血圧計。
【請求項８】
容積補償法により非観血的に１心拍ごとの血圧測定を行う血圧測定方法であって、
カフに流体を供給する複数台のポンプを有する圧力調整部を用意し、
被測定部位にカフを装着し、
圧力検出部によって上記カフの圧力を検出してカフ圧信号として出力させるとともに、
動脈容積検出部によって上記被測定部位の動脈の容積を検出して動脈容積信号として出力させながら、
第１の台数のポンプを用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定し、
上記制御目標値が決定された後、フィードバック制御を行って、上記動脈容積信号が上記制御目標値と一致するように、上記圧力調節部によって上記カフの圧力を制御する血圧測定方法において、
上記カフの圧力を制御するために、上記第１の台数よりも多い第２の台数のポンプを用いて上記第１の能力よりも高い第２の能力で上記圧力調節部を動作させることを特徴とする血圧測定方法。
【発明の詳細な説明】
【技術分野】
【０００１】
この発明は電子血圧計および血圧測定方法に関し、より詳しくは、容積補償法により非観血的に１心拍ごとの血圧測定を行う電子血圧計および血圧測定方法に関する。
【背景技術】
【０００２】
例えば特許文献１（特公平１−３１３７０号公報）には、容積補償法により非観血的に１心拍ごとの血圧測定を行う血圧測定方法が開示されている。この血圧測定方法では、心臓の拍動により変化する動脈の容積信号（これを「ＰＧｄｃ」とする。）を、光電センサなどの動脈容積センサにより検出する。そして、その容積信号ＰＧｄｃが、予め検出された動脈内圧（血圧）と被測定部位に巻きつけられたカフの内圧（カフ圧）とが平衡する圧力での動脈容積（これを「制御目標値Ｖ０」とする。）と常に一致するようにカフ圧を制御する。この制御中のカフ圧は常に血圧と平衡することになるため、この制御されているカフ圧を検出することで連続的に１心拍ごとの血圧を測定することが可能となる。
【０００３】
カフ圧を制御する場合、一般に、カフ内に流体（典型的には空気）を送り込んで加圧するためにポンプが使用され、カフ内から流体を排出して減圧するために弁が使用される。
【先行技術文献】
【特許文献】
【０００４】
【特許文献１】特公平１−３１３７０号公報
【発明の概要】
【発明が解決しようとする課題】
【０００５】
上述したように、容積補償法を利用した血圧測定では、動脈内圧とカフ圧とを平衡させる。このため、カフ圧を、図９に例示するような拡張期血圧から収縮期血圧までの血圧の変化に合わせて制御する必要がある。すなわち、１心拍の血圧波形（脈波波形）の立ち上がり時間（ｔｒとする。）の間に脈圧（収縮期血圧と拡張期血圧との差）分のカフ圧変化を発生させる必要がある。脈波波形の立ち上がり時間ｔｒは、最短で約０．０８ｓであることが判明している。また、図１０の散布図（図１０中の○印は各人のデータに相当する。）から分かるように、高血圧で収縮期血圧が２００ｍｍＨｇ以上の人では、脈圧は１５０ｍｍＨｇ程度まで及ぶことが判明している。
【０００６】
ここで、上記容積補償法によるカフ圧制御を実施するのに要求されるポンプおよび弁の性能（単位時間当たりの流量）は、以下のようにして求めることができる。
【０００７】
図１１は、手首に装着されるカフの特性、すなわち、カフ圧Ｐｃ（ｍｍＨｇ）と、カフ圧を１ｍｍＨｇ変化させるのに必要な流量（これをカフ−コンプライアンスｃｏｍｐ（ｍｌ／ｍｍＨｇ）と呼ぶ。）との関係を表している。
【０００８】
まず、カフ圧を変化させるのに必要な流量（ΔＶａｉｒとする。）を算出する。今、要求されるカフ圧の変化を脈圧の最大値である１５０ｍｍＨｇとし、その人の収縮期血圧を２４０ｍｍＨｇ、拡張期血圧を９０ｍｍＨｇと仮定する。このカフ圧の変化に必要な流量ΔＶａｉｒは、図１１中の斜線部の面積で示されることになり、このカフ特性では約１９ｍｌであることが分かる。また、カフ圧の変化に要求される最短の時間は、図９中に示した脈波立ち上がり時間ｔｒ＝０．０８ｓである。したがって、ポンプに要求される性能（容量）は、必要流量ΔＶａｉｒをカフ圧変化の最短時間ｔｒで除して、ΔＶａｉｒ／ｔｒ＝３１６．７ｍｌ／ｓ（＝１９ｌ／ｍ）として求められる。
【０００９】
この要求される性能は、非常に高いと言える。
【００１０】
また、一般的なポンプの構造であるダイヤフラムポンプ（ダイヤフラムと呼ばれる空気室をモータにより圧縮・開放することで流体を吐出するポンプ）において、仮に、単位時間当たりの流量を増加させるためにダイヤフラムの容量を大きくすると、吐出される流体にリップル（脈動）が発生する。このリップルはそのままカフ圧の変動になるため、正確な血圧測定が不可能になる。
【００１１】
そこで、この発明の課題は、容積補償法により非観血的に１心拍ごとの血圧測定を行う場合に、被測定部位に装着されるカフの圧力を適切に制御できる電子血圧計および血圧測定方法を提供することにある。
【課題を解決するための手段】
【００１２】
上記課題を解決するため、この発明の電子血圧計は、
容積補償法により非観血的に１心拍ごとの血圧測定を行う電子血圧計であって、
被測定部位に装着されるカフと、
上記カフに流体を供給する複数台のポンプを有し、上記カフの圧力を調節するための圧力調節部と、
上記カフの圧力を検出する圧力検出部と、
上記被測定部位の動脈の容積を検出して動脈容積信号として出力する動脈容積検出部と、
第１の台数のポンプを用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定する第１制御部と、
上記制御目標値が決定された後、フィードバック制御を行って、上記動脈容積信号が上記制御目標値と一致するように、上記圧力調節部によって上記カフの圧力を制御する第２制御部とを備え、
上記第２制御部は、上記カフの圧力を制御するために、上記第１の台数よりも多い第２の台数のポンプを用いて上記第１の能力よりも高い第２の能力で上記圧力調節部を動作させることを特徴とする。
【００１３】
本明細書で、「被測定部位」とは、手首や上腕など、身体の動脈が通っている部位であれば良い。
【００１４】
上記フィードバック制御としては、例えばＰＩＤ制御、すなわち、比例制御（Proportional Control）と積分制御（Integral Control）と微分制御（Derivative Control）とを組み合わせて、制御対象を制御目標値に収束させる制御が挙げられる。
【００１５】
この発明の電子血圧計では、第１制御部が、第１の台数のポンプを用いて第１の能力で上記圧力調節部を動作させることにより、上記カフの圧力を変化させる。上記動脈の内圧と上記カフの圧力とが平衡したとき、上記動脈容積信号の脈波による変化成分を表す動脈容積変化信号の振幅が最大になる。第１制御部は、この振幅最大時点の上記動脈容積信号の直流成分を、動脈容積についての制御目標値として決定する。上記制御目標値が決定された後、第２制御部が、フィードバック制御を行って、上記動脈容積信号が上記制御目標値と一致するように、上記圧力調節部によって上記カフの圧力を制御する。ここで、上記第２制御部は、上記カフの圧力を制御するために、上記第１の台数よりも多い第２の台数のポンプを用いて上記第１の能力よりも高い第２の能力で上記圧力調節部を動作させる。したがって、容積補償法により非観血的に１心拍ごとの血圧測定を行う場合に、カフ圧制御を実施するのに要求される性能（単位時間当たりの流量）を満足させることができる。また、上記第２の台数は複数台であるから、各ポンプがランダムに生じたリップル（吐出流体中の脈動）が、互いに打ち消し合って平均化される。したがって、１台の大容量のポンプを用いる場合に比して、カフ圧の変動を低減できる。これにより、被測定部位に装着されるカフの圧力を適切に制御できる。この結果、上記動脈の内圧と上記カフの圧力とが常に一致した状況で、上記圧力検出部が出力するカフ圧信号に基づいて、連続的に１心拍ごとの血圧を精度良く測定することができる。
【００１６】
一実施形態の電子血圧計では、上記第２制御部は、被測定者の血圧値に基づいて、上記第２の台数を設定することを特徴とする。
【００１７】
ここで、被測定者の「血圧値」は、収縮期血圧と拡張期血圧とを含む。
【００１８】
既述のように、上記圧力調節部に要求される性能は、カフ圧を変化させるのに必要な流量（ΔＶａｉｒ）に依存する。すなわち、人の収縮期血圧と拡張期血圧に依存する。そこで、この一実施形態の電子血圧計では、上記第２制御部は、被測定者の血圧値（収縮期血圧と拡張期血圧とを含む。）に応じて上記第２の台数を設定することを特徴とする。したがって、上記第２の台数として必要十分な台数を設定でき、この結果、上記第２の能力として必要十分な能力を設定できる。これにより、上記カフの圧力を制御する精度（分解能）を高めることができ、１心拍ごとの血圧を精度良く測定できる。
【００１９】
なお、仮に、上記第２の台数として過剰な台数を用いて第２の能力として過剰な能力を設定した場合、血圧測定に不必要な流量が発生する。このため、圧制御量（分解能）の大半がその不必要流量の供給排出に使用されることになり、結果として圧制御量の分解能が落ちることになる。
【００２０】
一実施形態の電子血圧計では、
上記第１制御部は、上記動脈容積についての制御目標値を決定するとともに、被測定者の第１の血圧値を検出し、
上記第２制御部は、上記第１制御部が検出した第１の血圧値に基づいて、上記第２の台数を設定することを特徴とする。
【００２１】
この一実施形態の電子血圧計では、上記第１制御部は、上記動脈容積についての制御目標値を決定するとともに、被測定者の第１の血圧値を検出する。上記第２制御部は、上記第１制御部が検出した第１の血圧値に基づいて、上記第２の台数を設定する。すなわち、この容積補償法による血圧測定の開始段階で得られた被測定者の血圧値に基づいて、上記第２の台数が設定される。したがって、上記第２の台数として必要十分な台数をより適切に設定でき、この結果、上記第２の能力として必要十分な能力をより適切に設定できる。これにより、上記カフの圧力を制御する精度（分解能）をさらに高めることができ、１心拍ごとの血圧をさらに精度良く測定できる。
【００２２】
一実施形態の電子血圧計では、上記第２制御部は、上記第２の台数を上記第１制御部が検出した第１の血圧値に基づいて設定した後、上記圧力調節部によって上記カフの圧力を制御している間に、上記圧力検出部が出力するカフ圧信号に基づいて得られた第２の血圧値に基づいて、上記第２の台数を切り替えて設定することを特徴とする。
【００２３】
この一実施形態の電子血圧計では、上記第２制御部は、上記第２の台数を上記第１制御部が検出した第１の血圧値に基づいて設定した後、上記圧力調節部によって上記カフの圧力を制御している間に、上記圧力検出部が出力するカフ圧信号に基づいて得られた第２の血圧値に基づいて、上記第２の台数を切り替えて設定する。すなわち、上記被測定者の直近に得られた血圧値に基づいて、上記第２の台数を切り替えて設定する。したがって、上記第２の台数として必要十分な台数をより適切に設定でき、この結果、上記第２の能力として必要十分な能力をより適切に設定できる。これにより、上記カフの圧力を制御する精度（分解能）をさらに高めることができ、１心拍ごとの血圧をさらに精度良く測定できる。
【００２４】
一実施形態の電子血圧計では、上記第２制御部は、上記第１の血圧値と上記第２の血圧値との間の差が予め定められた閾値未満であれば、上記第２の台数を切り替えずに維持することを特徴とする。
【００２５】
この一実施形態の電子血圧計では、上記第２制御部は、上記第１の血圧値と上記第２の血圧値との間の差が予め定められた閾値未満であれば、上記第２の台数を切り替えずに維持する。したがって、上記第２の台数を無用に切り替えることがない。
【００２６】
一実施形態の電子血圧計では、
上記被測定者の血圧値を記録する記憶部をさらに備え、
上記第２制御部は、上記記憶部に記録されている上記被測定者の血圧値に基づいて、上記第２の台数を設定することを特徴とする。
【００２７】
ここで、上記被測定者の血圧値は、本発明の電子血圧計によって過去（例えば、本発明の電子血圧計による測定開始前）に取得されたものでも良いし、別の血圧計によって過去に測定されたものでも良い。
【００２８】
また、上記被測定者の血圧値は、複数回の測定により得られた血圧値の代表値（例えば平均値、中央値、最大値など）であっても良い。
【００２９】
この一実施形態の電子血圧計では、上記被測定者の血圧値を記録する記憶部をさらに備える。上記第２制御部は、上記記憶部に記録されている上記被測定者の血圧値に基づいて、上記第２の台数を設定する。したがって、上記第２の台数として必要十分な台数をより適切に設定でき、この結果、上記第２の能力として必要十分な能力をより適切に設定できる。これにより、上記カフの圧力を制御する精度（分解能）をさらに高めることができ、１心拍ごとの血圧をさらに精度良く測定できる。
【００３０】
一実施形態の電子血圧計では、
上記圧力調節部は、上記カフから流体を排出する複数台の弁を有し、
上記第１制御部は、第１の台数のポンプおよび第３の台数の弁を用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定し、
上記第２制御部は、上記カフの圧力を制御するために、上記第１の台数よりも多い第２の台数のポンプおよび上記第３の台数よりも多い第４の台数の弁を用いて上記第１の能力よりも高い第２の能力で上記圧力調節部を動作させることを特徴とする。
【００３１】
この一実施形態の電子血圧計では、上記圧力調節部は、上記カフから流体を排出する複数台の弁を有する。そして、上記第１制御部は、第１の台数のポンプおよび第３の台数の弁を用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定する。また、上記第２制御部は、上記カフの圧力を制御するために、上記第１の台数よりも多い第２の台数のポンプおよび上記第３の台数よりも多い第４の台数の弁を用いて上記第１の能力よりも高い第２の能力で上記圧力調節部を動作させる。したがって、上記ポンプによる流体供給能力に応じて上記弁による流体排出能力を設定できる。
【００３２】
また、本発明の血圧測定方法は、
容積補償法により非観血的に１心拍ごとの血圧測定を行う血圧測定方法であって、
カフに流体を供給する複数台のポンプを有する圧力調整部を用意し、
被測定部位にカフを装着し、
圧力検出部によって上記カフの圧力を検出してカフ圧信号として出力させるとともに、
動脈容積検出部によって上記被測定部位の動脈の容積を検出して動脈容積信号として出力させながら、
第１の台数のポンプを用いて第１の能力で上記圧力調節部を動作させることにより上記カフの圧力を変化させて、上記動脈容積信号の脈波による変化成分を表す動脈容積変化信号の振幅が最大になった振幅最大時点の上記動脈容積信号の直流成分を、動脈容積についての制御目標値として決定し、
上記制御目標値が決定された後、フィードバック制御を行って、上記動脈容積信号が上記制御目標値と一致するように、上記圧力調節部によって上記カフの圧力を制御する血圧測定方法において、
上記カフの圧力を制御するために、上記第１の台数よりも多い第２の台数のポンプを用いて上記第１の能力よりも高い第２の能力で上記圧力調節部を動作させることを特徴とする。
【００３３】
この血圧測定方法によれば、容積補償法により非観血的に１心拍ごとの血圧測定を行う場合に、カフ圧制御を実施するのに要求される性能（単位時間当たりの流量）を満足させることができる。また、上記第２の台数は複数台であるから、各ポンプがランダムに生じたリップル（吐出流体中の脈動）が、互いに打ち消し合って平均化される。したがって、１台の大容量のポンプを用いる場合に比して、カフ圧の変動を低減できる。これにより、被測定部位に装着されるカフの圧力を適切に制御できる。
【発明の効果】
【００３４】
以上より明らかなように、この発明の電子血圧計および血圧測定方法によれば、容積補償法により非観血的に１心拍ごとの血圧測定を行う場合に、被測定部位に装着されるカフの圧力を適切に制御できる。
【図面の簡単な説明】
【００３５】
【図１】この発明の一実施形態の電子血圧計のブロック構成を示す図である。
【図２】上記電子血圧計による血圧測定処理のフローを示す図である。
【図３】上記血圧測定処理を実行するときのカフ圧Ｐｃ、動脈容積信号ＰＧｄｃ、動脈容積変化信号ＰＧａｃの経時変化を示す図である。
【図４】動脈の力学特性を示すグラフである。
【図５】上記血圧測定処理において動脈容積信号のための制御目標値と第１の血圧値を決定するフローを示す図である。
【図６】図２の血圧測定処理の変形例のフローを示す図である。
【図７】図２の血圧測定処理の別の変形例のフローを示す図である。
【図８】図１の電子血圧計の変形例のブロック構成を示す図である。
【図９】１心拍の血圧波形を説明する図である。
【図１０】多数の人についての収縮期血圧と脈圧との関係を示す散布図である。
【図１１】手首に装着されるカフの特性、すなわち、カフ圧（ｍｍＨｇ）とカフ−コンプライアンス（ｍｌ／ｍｍＨｇ）との関係を示す図である。
【発明を実施するための形態】
【００３６】
以下、この発明を図示の実施の形態により詳細に説明する。
【００３７】
図１は、一実施形態の電子血圧計（以下、適宜、単に「血圧計」という。）のブロック構成を示している。
【００３８】
この血圧計は、被測定部位に装着されるカフ２０と、このカフ２０に内包された空気袋２１にエアチューブ３１を介して接続された圧力検出部３０および圧力調整部５０と、動脈容積検出部７０と、この血圧計全体の動作を制御するＣＰＵ（Central Processing Unit；中央演算処理装置）１００と、表示部４０と、第１メモリ４２および第２メモリ４３と、操作部４１と、電源４４と、時計４５とを備えている。
【００３９】
カフ２０が被測定部位に装着された状態で、空気袋２１は被測定部位を圧迫するために用いられる。なお、カフ２０には空気袋２１が含まれ、流体として空気が供給されることとしたが、カフ２０に供給される流体は空気に限定されるものではなく、例えば液体やゲルであってもよい。
【００４０】
圧力検出部３０は、カフ２０の圧力、より正確には空気袋２１内の圧力を検出するための圧力センサ３２と、発振回路３３とを含んでいる。圧力センサ３２は、この例では静電容量形の圧力センサであり、カフ圧に応じて容量値が変化する。発振回路３３は、圧力センサ３２の容量値に応じた発振周波数の信号をＣＰＵ１００に出力する。ＣＰＵ１００は、発振回路３３から得られる信号を圧力に変換して、カフ圧を表すカフ圧信号Ｐｃとして取得する（以下では、適宜「カフ圧Ｐｃ」という。）。
【００４１】
圧力調整部５０は、空気袋２１に空気を供給するための複数台のポンプ５１Ａ，５１Ｂ，５１Ｃ，…と、ＣＰＵ１００から与えられる制御信号に基づいて、それぞれ対応するポンプ５１Ａ，５１Ｂ，５１Ｃ，…の駆動を制御するポンプ駆動回路５３Ａ，５３Ｂ，５３Ｃ，…と、空気袋２１の空気を排出しまたは封入するために開閉される１台の弁５２と、ＣＰＵ１００から与えられる制御信号に基づいて弁５２の開閉を制御する弁駆動回路５４とを含んでいる。
【００４２】
この例では、ポンプ５１Ａ，５１Ｂ，５１Ｃ，…は、一般的なダイヤフラムポンプであり、１台当たりの空気供給能力は約１ｌ／ｍであるものとする。ポンプ５１Ａ，５１Ｂ，５１Ｃ，…の台数は１０台用意されているものとする。
【００４３】
動脈容積検出部７０は、カフ２０内の空気袋２１の内側に所定の間隔に配置された光電センサとしての発光素子７１および受光素子７２と、発光素子駆動回路７３と、動脈容積検出回路７４とを含んでいる。発光素子駆動回路７３は、ＣＰＵ１００からの指令信号に応じて発光素子７１を所定のタイミングで発光させる。発光素子７１は、被測定部位を通る動脈に対して光を照射する。受光素子７２は、被測定部位の動脈を透過し又は動脈によって反射された光、すなわち動脈の容積を反映した光を受光する。動脈容積検出回路７４は、受光素子７２からの出力を電圧値に変換して、動脈の容積を表す動脈容積信号ＰＧｄｃとして取得する（フォトプレチスモグラフィ法）。
【００４４】
なお、動脈容積検出部７０は、動脈の容積が検出できるものであればよく、例えばインピーダンスプレチスモグラフィ法により、インピーダンスセンサを用いて動脈の容積を検出するものであってもよい。その場合、発光素子７１および受光素子７２に代えて、動脈を含む部位のインピーダンスを検出するための複数の電極（被測定部位に電圧を印加する電極対、被測定部位に流れる電流を検出する電極対）が用いられる。
【００４５】
表示部４０は、例えば液晶ディスプレィまたはＥＬ（エレクトロルミネッセンス）ディスプレィ等により構成され、ＣＰＵ１００から受けた信号に応じて、血圧値、血圧波形、脈拍数などの血圧に関する情報を表示する。
【００４６】
第１メモリ４２は、ＣＰＵ１００に後述の血圧測定処理の制御を行わせるプログラムや、制御のための各種データを記憶する。
【００４７】
第２メモリ４３は、測定された血圧に関する情報を記憶する。
【００４８】
操作部４１は、電源をオンまたはオフするための指示の入力を受付ける電源スイッチ４１Ａと、測定開始の指示を受付けるための測定スイッチ４１Ｂと、測定停止の指示を受付けるための停止スイッチ４１Ｃと、第２メモリ４３に記録された血圧に関する情報を読み出す指示を受付けるための記録呼出スイッチ４１Ｄとを含んでいる。
【００４９】
電源４４は、電源スイッチ４１Ａに対する操作に応じて、この血圧計の各部（ＣＰＵ１００を含む）に電力を供給し又は供給を停止する。
【００５０】
時計４５は、計時動作を行い、ＣＰＵ１００の動作のための基準クロックとして働く。
【００５１】
図２は、この血圧計による血圧測定処理のフローを示している。この血圧計は、容積補償法により非観血的に１心拍ごとの血圧測定を行う。
【００５２】
具体的には、まず、ユーザが電源スイッチ（ＳＷ）４１Ａを押す（ステップＳ１）。すると、ＣＰＵ１００が、血圧計の初期化として、ＣＰＵ１００の処理用メモリ領域を初期化する。また、圧力調整部５０によってカフ２０（の空気袋２１）内の空気を排気し、この時点の圧力検出部３０の出力（カフ圧信号Ｐｃ）を０ｍｍＨｇとする補正を行う（ステップＳ２）。
【００５３】
次に、ユーザが測定スイッチを押す（ステップＳ３）。すると、ＣＰＵ１００が、容積補償法における動脈容積についての制御目標値Ｖ０、制御初期カフ圧ＰＣ＿Ｖ０を決定するとともに、後述のステップＳ６で圧力調整部５０の能力を設定するための基準となる第１の血圧値を求める（ステップＳ４）。
【００５４】
ここで、動脈容積についての制御目標値Ｖ０について、動脈の力学特性を示す図４を用いて説明する。図４の横軸は、動脈の内外圧差Ｐｔｒ、縦軸は動脈容積Ｖを表している。動脈の内外圧差Ｐｔｒは、動脈内圧Ｐａとカフ圧（カフ圧信号で表される）Ｐｃとの差に相当する。
【００５５】
この図４に示されるように、動脈の力学特性では、動脈内外圧差Ｐｔｒが０（平衡状態）のとき、動脈のコンプライアンスが最大となり、脈圧変動による動脈容積変化量ΔＶが最大となる。そこで、容積補償法では、カフ圧Ｐｃを徐々に加圧していく過程で動脈容積変化信号ＰＧａｃの振幅が最大となる点を求め、動脈容積変化信号ＰＧａｃの振幅が最大となった時点（振幅最大時点）での動脈容積信号ＰＧｄｃの値（直流成分を指す。）を動脈容積についての制御目標値Ｖ０として決定する。
【００５６】
具体的には、ＣＰＵ１００が第１制御部として働いて、図５に示すフローに従って動脈容積についての制御目標値Ｖ０を次のようにして決定するとともに、第１の血圧値（収縮期血圧および拡張期血圧）を求める。
【００５７】
まず、ＣＰＵ１００は、第１メモリ４２内に確保されている、暫定的な動脈容積信号（これをＰＧｄｃ＿ｔｅｍｐとする。）を格納すべきメモリ領域Ｍ１、暫定的な動脈容積変化信号最大値（これをＰＧａｃ＿ｔｅｍｐとする。）を格納すべきメモリ領域Ｍ２、暫定的な制御初期カフ圧値（これをＰｃ＿ｔｅｍｐとする。）を格納すべきメモリ領域Ｍ３を、それぞれ初期化する（ステップＳ１０１）。
【００５８】
ここで、第１メモリ４２は、次のようなメモリ領域Ｍ１，Ｍ２，Ｍ３を有しているものとする。
（第１メモリ４２）
2014014556.tif 000003
【００５９】
次に、弁５２を閉じる（ステップＳ１０２）。そして、第１の台数としての１台のポンプ（５１Ａとする。）を用いて第１の能力（約１ｌ／ｍｉｎ）で圧力調節部５０を動作させる。このポンプ５１Ａによりカフ圧Ｐｃを徐々に加圧していく（ステップＳ１０３）。このカフ圧Ｐｃを加圧していく途中で、動脈容積検出部７０によって、被測定部位の動脈の容積を表す動脈容積信号ＰＧｄｃ、および、動脈容積信号ＰＧｄｃの脈波による変化成分である動脈容積変化信号ＰＧａｃを検出する（ステップＳ１０４）。
【００６０】
なお、図３の上段にカフ圧Ｐｃの時間による変化を示し、図３の中段にカフ圧Ｐｃに応じて変化する動脈容積信号ＰＧｄｃを示し、また、図３の下段に動脈容積変化信号ＰＧａｃを示している。最初の時間０〜０．２［ｍｉｎ］の段階では、カフ圧Ｐｃは上昇し、動脈容積信号ＰＧｄｃは低下し、動脈容積変化信号ＰＧａｃは増加する。
【００６１】
次に、図５中のステップＳ１０５に示すように、検出した動脈容積変化信号ＰＧａｃの振幅と動脈容積変化信号最大値ＰＧａｃ＿ｔｅｍｐを比較する。ここで、動脈容積変化信号ＰＧａｃの振幅が動脈容積変化信号最大値ＰＧａｃ＿ｔｅｍｐよりも大きい場合（ステップＳ１０５でＹＥＳ）、その時点での動脈容積変化信号ＰＧａｃの振幅を用いてメモリ領域Ｍ２に格納された動脈容積変化信号最大値ＰＧａｃ＿ｔｅｍｐを更新する（ステップＳ１０６）。これとともに、その時点での動脈容積信号ＰＧｄｃの値を用いてメモリ領域Ｍ１に格納された動脈容積信号ＰＧｄｃ＿ｔｅｍｐを更新し、また、その時点でのカフ圧Ｐｃを用いてメモリ領域Ｍ３に格納された制御初期カフ圧値Ｐｃ＿ｔｅｍｐを更新する。
【００６２】
図３の例では、最初の時間０〜０．２［ｍｉｎ］の段階では、動脈容積信号ＰＧｄｃ＿ｔｅｍｐ、動脈容積変化信号最大値ＰＧａｃ＿ｔｅｍｐおよび制御初期カフ圧Ｐｃ＿ｔｅｍｐは、暫定的な値である。この図３の例では、動脈容積変化信号ＰＧａｃの振幅は、加圧開始から約０．２［ｍｉｎ］経過した時点（振幅最大時点）で最大値を示し、この最大値がＰＧａｃ＿Ｍａｘとしてメモリ領域Ｍ２に保持される。また、その振幅最大時点での動脈容積信号ＰＧｄｃ＿ｔｅｍｐの値がメモリ領域Ｍ１に保持され、その振幅最大時点での制御初期カフ圧値Ｐｃ＿ｔｅｍｐがメモリ領域Ｍ３に保持される。
【００６３】
上記振幅最大時点を過ぎると、動脈容積変化信号ＰＧａｃの振幅が動脈容積変化信号最大値ＰＧａｃ＿ｔｅｍｐよりも小さくなるので（図５中のステップＳ１０５でＮＯ）、メモリ領域Ｍ１，Ｍ２，Ｍ３の内容が更新されることはない。
【００６４】
この例では、第１の台数としての１台のポンプ５１Ａを用いて、比較的低い第１の能力（約１ｌ／ｍｉｎ）で圧力調節部５０を動作させ、カフ圧Ｐｃを徐々に加圧しているので、上記振幅最大時点を見逃すような事態を避けることができる。
【００６５】
これに並行して、カフ圧に重畳した動脈容積の変化（圧脈波信号）に基づいて、例えば公知のオシロメトリック法により、被測定者の血圧値を第１の血圧値（収縮期血圧と拡張期血圧とを含む。）として求める（ステップＳ１０７）。なお、第１の血圧値は、上記検出された動脈容積変化信号ＰＧａｃを使用して、容積振動法により算出しても良い。
【００６６】
次に、図５中のステップＳ１０８に示すように、カフ圧が所定圧（これをＰｃ＿Ａとする。）に達したか否かを判断する。ここで、カフ圧が所定圧Ｐｃ＿Ａに達していなければ（ステップＳ１０８でＮＯ）、ステップＳ１０３からステップＳ１０７までの処理を繰り返す。この所定圧Ｐｃ＿Ａとしては、被測定者の収縮期血圧より十分に高い圧力を用いる。例えばＰｃ＿Ａとして、１８０ｍｍＨｇなどの固定値を用いても良いし、前記加圧中に算出される収縮期血圧に３０ｍｍＨｇを加えた値を用いても良い。
【００６７】
カフ圧が所定圧Ｐｃ＿Ａに達したとき（ステップＳ１０８ででＹＥＳ）、その時点でメモリ領域Ｍ１に保持されている動脈容積信号ＰＧｄｃ＿ｔｅｍｐの値を動脈容積についての制御目標値Ｖ０として決定し、その時点でメモリ領域Ｍ３に保持されている制御初期カフ圧値Ｐｃ＿ｔｅｍｐを制御初期カフ圧ＰＣ＿Ｖ０として決定する（ステップＳ１０９）。
【００６８】
このようにして動脈容積についての制御目標値Ｖ０、制御初期カフ圧ＰＣ＿Ｖ０、被測定者の第１の血圧値が決定された後、図２中のステップＳ５へ進む。
【００６９】
図２中のステップＳ５以降では、ＣＰＵ１００が第２制御部として働いて、次のような処理を行う。
【００７０】
まず、ステップＳ４で求められた第１の血圧値（収縮期血圧と拡張期血圧とを含む。）に基づいて、駆動すべきポンプの台数を、上記第１の台数（上の例では１台）よりも多い第２の台数として決定する（ステップＳ５）。
【００７１】
ここで、この第２の台数は、図１１に示したカフ−コンプライアンスと、第１の血圧値が表す収縮期血圧と拡張期血圧との差である脈圧と、脈波立ち上がり時間ｔｒとから決定される必要流量（ｌ／ｍ）によって決定される。
【００７２】
具体的には、収縮期血圧を１３０ｍｍＨｇ、拡張期血圧を９０ｍｍＨｇ、脈圧を４０ｍｍＨｇだとすると、脈波立ち上がり時間ｔｒを０．０８ｓとすると、必要流量は４２．６ｍｌ／ｓ（＝２．６ｌ／ｍ）となる。この例では、ポンプ１台当たりの空気供給能力は約１ｌ／ｍであるから、必要流量２．６ｌ／ｍを供給できるように、第２の台数を例えば３台にする。
【００７３】
ただし、被測定者の血圧が変動する可能性を考慮して、所定比率の余裕度（例えば１．５倍）を確保するようにしても良い。例えば、２．６ｌ／ｍ×１．５＝３．９ｌ／ｍであるから、第２の台数を４台にしても良い。
【００７４】
また、脈波の立ち上がり時間ｔｒを０．０８ｓとしたが、被測定者の実際の脈波立ち上がり時間に合わせても良い。
【００７５】
なお、容積補償法に使用されるカフは一般的に非常に容量の小さいものが使用される。これは、脈圧分の圧力変化を脈波立ち上がり時間ｔｒ内に実現するためである。
【００７６】
続いて、ステップＳ６では、上記第２の台数として決定された複数台のポンプ（ポンプ５１Ａ，５１Ｂ，５１Ｃとする。）を用いて、上記ステップＳ４のときの第１の能力よりも高い第２の能力で圧力調節部５０を動作させる（ポンプ制御）。この例では、ポンプ駆動回路５３Ａ，５３Ｂ，５３Ｃがポンプ５１Ａ，５１Ｂ，５１Ｃに印加する電圧を一定にし、弁５２の開き度合いを調整して、カフ圧Ｐｃを制御初期カフ圧ＰＣ＿Ｖ０に設定する（ステップＳ７）。図３の例では、加圧開始から約０．４［ｍｉｎ］経過した時点でカフ圧Ｐｃが制御初期カフ圧ＰＣ＿Ｖ０に設定されている。
【００７７】
なお、仮に、弁５２の開き量を一定にし、ポンプ５１Ａ，５１Ｂ，５１Ｃに印加する電圧を調整してカフ圧Ｐｃをを制御するものとすると、一般的なポンプでは、駆動電圧に対する吐出流体の変化量の応答性や分解能が低いため、カフ圧Ｐｃを１心拍ごとの血圧の変化にあわせることは困難である。そこで、ポンプ５１Ａ，５１Ｂ，５１Ｃに印加する電圧を一定にし、弁５２の開き量を調整することで、カフ圧Ｐｃの制御を行うことが実用的である。ただし、ポンプ５１Ａ，５１Ｂ，５１Ｃに印加する駆動電圧を制御してもよい。
【００７８】
次に、図２中のステップＳ８で、ＣＰＵ１００がフィードバック制御としてのＰＩＤ制御を行って、動脈容積変化信号ＰＧａｃを抑制して動脈容積信号ＰＧｄｃが動脈容積についての制御目標値Ｖ０と一致するように、圧力調節部５０によってカフ圧Ｐｃを制御する。
【００７９】
具体的には、まず、制御目標値Ｖ０を決定した時点の動脈容積変化信号ＰＧａｃの振幅（これを「ＰＧａｃ＿Ｖ０」とする。）を、第１メモリ４２に記憶しておく。ＰＩＤ制御の制御ゲインの初期値は、設定可能な最小値としておく。ここで、上記フィードバック制御の「制御ゲイン」とは、上記動脈容積信号が上記制御目標値と一致するように、上記動脈容積信号の変化成分に基づいて上記カフの圧力（すなわち上記カフ圧信号）を制御するための制御ゲインを意味する。
【００８０】
次に、現在（ＰＩＤ制御中）の動脈容積変化信号ＰＧａｃの振幅とＰＧａｃ＿Ｖ０とを比較し、その比率が所定の割合α以下であるか否かを判断する（ステップＳ９）。この割合αは、例えば３０％とする。
【００８１】
現在の動脈容積変化信号ＰＧａｃの振幅のＰＧａｃ＿Ｖ０に対する割合がαを超えていると判断された場合は（ステップＳ９でＮＯ）、ＰＩＤ制御ゲインを所定単位だけ大きくして更新する（ステップＳ１０）。一方、現在の動脈容積変化信号ＰＧａｃのＰＧａｃ＿Ｖ０に対する割合がα以下であると判断された場合は（ステップＳ９でＹＥＳ）、ＰＩＤ制御の制御ゲインの更新を停止し、その時点でのカフ圧信号Ｐｃを被測定者の第２の血圧値として決定する（ステップＳ１１）。
【００８２】
これらの処理（ステップＳ８〜Ｓ１１）を、血圧測定停止の指示が入力（停止信号ＯＮ）されるまで継続する（ステップＳ１２でＮＯ）。血圧測定停止の指示は、例えば操作部４１の停止スイッチ４１Ｃによる入力としても良いし、時計４５によって血圧測定開始からの経過時間を計測し、所定時間（例えば３分など）が経過した時点で停止することとしても良い。
【００８３】
血圧測定停止の指示が入力された場合（ステップＳ１２でＹＥＳ）、ポンプ５１Ａ，５１Ｂ，５１Ｃを停止し、弁５２を開放し（ステップＳ１３）、血圧測定を終了する。
【００８４】
このように、この血圧計では、１心拍ごとの血圧を測定する段階（ステップＳ８〜Ｓ１１）で、カフ圧Ｐｃを制御するために、第２の台数（複数台）のポンプ５１Ａ，５１Ｂ，５１Ｃを用いて上記ステップＳ４のときの第１の能力よりも高い第２の能力で圧力調節部５０を動作させる。したがって、カフ圧制御を実施するのに要求される性能（単位時間当たりの流量）を満足させることができる。また、第２の台数は複数台であるから、各ポンプ５１Ａ，５１Ｂ，５１Ｃがランダムに生じたリップル（吐出流体中の脈動）が、互いに打ち消し合って平均化される。したがって、１台の大容量のポンプを用いる場合に比して、カフ圧の変動を低減できる。これにより、被測定部位に装着されるカフの圧力を適切に制御できる。この結果、動脈の内圧とカフの圧力とが常に（脈拍にかかわらず）一致した状況で、圧力検出部５０が出力するカフ圧信号Ｐｃに基づいて、連続的に１心拍ごとの血圧を精度良く測定することができる。
【００８５】
また、上記第２の台数は、この容積補償法による血圧測定の開始段階（図２中のステップＳ４）で得られた被測定者の第１の血圧値に基づいて設定されている。したがって、第２の台数として必要十分な台数を設定でき、この結果、圧力調節部５０の第２の能力として必要十分な能力を設定できる。これにより、カフ圧Ｐｃを制御する精度（分解能）を高めることができ、１心拍ごとの血圧を精度良く測定できる。
【００８６】
図６は、図２の血圧測定処理の変形例のフローを示している。
【００８７】
この図６の変形例（血圧測定処理）では、記憶部として働く第２メモリ４３に、被測定者の血圧値が記録されていることを前提とする。第２メモリ４３に記録されている血圧値は、この血圧計によって過去（この血圧計による測定開始前）に取得されたものでも良いし、別の血圧計によって過去に測定されたものでも良い。また、第２メモリ４３に記録されている血圧値は、複数回の測定により得られた血圧値の代表値（例えば平均値、中央値、最大値など）であっても良い。
【００８８】
この図６の血圧測定処理では、ステップＳ４′，Ｓ５′のみが、図２の血圧測定処理におけるステップＳ４，Ｓ５と異なっている。簡単のため、図２中のステップと同一内容のステップには同一のステップ番号を付して、重複する説明を省略する（後述の図７でも同様。）。
【００８９】
図６のステップＳ４′では、第１の血圧値を求める処理（図５中のステップＳ１０７）を省略する以外は、図２のステップＳ４と同様の処理を行う。これにより、既述の動脈容積についての制御目標値Ｖ０、制御初期カフ圧ＰＣ＿Ｖ０を決定する。
【００９０】
次に、図６のステップＳ５′では、第２メモリ４３に記録されている被測定者の血圧値に基づいて、駆動すべきポンプの台数を、上記第１の台数（上の例では１台）よりも多い第２の台数として決定する。具体的なポンプ台数の決定の仕方は、図２のステップＳ５におけるのと同様である。
【００９１】
この図６の血圧測定処理によれば、図２の血圧測定処理と同様に、上記第２の台数として必要十分な台数を設定でき、この結果、圧力調節部５０の第２の能力として必要十分な能力を設定できる。これにより、カフ圧Ｐｃを制御する精度（分解能）を高めることができ、１心拍ごとの血圧を精度良く測定できる。
【００９２】
図７は、図２の血圧測定処理の別の変形例のフローを示している。
【００９３】
この図７の変形例（血圧測定処理）では、ステップＳ１１の後にステップＳ２０１，Ｓ２０２を追加した点のみが、図２の血圧測定処理と異なっている。すなわち、この図７の血圧測定処理では、１心拍ごとの血圧を測定する段階で得られた第２の血圧値に基づいて、上記第２の台数を切り替えて設定する点が、図２の血圧測定処理と異なっている。
【００９４】
具体的には、図７中のステップＳ２０１で被測定者の第２の血圧値を決定した後、ステップＳ２０１で、第１の血圧値と第２の血圧値との差を算出し、その差が予め定められた閾値（ΔＰｃ＿ｄとする。）以上であるか否かを判断する。
【００９５】
ここで、第１の血圧値、第２の血圧値としては、例えば、それぞれ収縮期血圧と拡張期血圧のいずれか一方もしくは両方を用いる。閾値ΔＰｃ＿ｄは、例えば２０ｍｍＨｇとする。つまり、「第１の血圧値における収縮期血圧」と「第２の血圧値における収縮期血圧」との差がΔＰｃ＿ｄ（＝２０ｍｍＨｇ）以上であるか否かを判断する。これは、その差が２０ｍｍＨｇ以上でないと、各ポンプの駆動電圧を変更すれば足り、ポンプ台数を変更する必要性が乏しいと考えられるからである。第１の血圧値、第２の血圧値として、それぞれ収縮期血圧と拡張期血圧の両方を用いる場合は、「第１の血圧値における収縮期血圧」と「第２の血圧値における収縮期血圧」との差および「第１の血圧値における拡張期血圧」と「第２の血圧値における拡張期血圧」との差の両方もしくはどちらか一方がΔＰｃ＿ｄ（＝２０ｍｍＨｇ）以上であるか否かを判断する。
【００９６】
または、それに代えて、例えば、「第１の血圧値における収縮期血圧と拡張期血圧との差（脈圧）」と「第２の血圧値における収縮期血圧と拡張期血圧との差（脈圧）」との差がΔＰｃ＿ｄ（＝２０ｍｍＨｇ）以上であるか否かを判断しても良い。
【００９７】
上記差が閾値ΔＰｃ＿ｄ以上であれば（ステップＳ２０１でＹＥＳ）、上記第２の血圧値に基づいて、ポンプ台数を切り替えて設定（変更）する。
【００９８】
ここで、上記第２の血圧値に基づいてポンプ台数を決定する仕方は、上記第１の血圧値に基づいてポンプの台数を決定した仕方（図２中のステップＳ５）と同様である。
【００９９】
このようにした場合、上記第２の台数として必要十分な台数をより適切に設定でき、この結果、圧力調節部５０の第２の能力として必要十分な能力をより適切に設定できる。これにより、カフ圧Ｐｃを制御する精度（分解能）をさらに高めることができ、１心拍ごとの血圧をさらに精度良く測定できる。
【０１００】
一方、上記差が閾値ΔＰｃ＿ｄ未満であれば（ステップＳ２０１でＮＯ）、上記第２の台数を切り替えずに維持する。したがって、上記第２の台数を無用に切り替えることがない。
【０１０１】
さらに、１心拍ごとの血圧を測定する段階で第２の血圧値の遷移を検出し、その遷移が予め定められた閾値ΔＰｃ＿ｄ以上であるとき、遷移後の血圧値に基づいて、ポンプ台数を切り替えて設定しても良い。
【０１０２】
図８は、図１の電子血圧計の変形例のブロック構成を示している。
【０１０３】
この図８の変形例（電子血圧計）では、圧力調整部５０が、空気袋２１の空気を排出しまたは封入するために開閉される複数台の弁５２Ａ，５２Ｂ，５２Ｃ，…と、ＣＰＵ１００から与えられる制御信号に基づいて、それぞれ対応する弁５２Ａ，５２Ｂ，５２Ｃ，…の開閉を制御する弁駆動回路５４Ａ，５４Ｂ，５４Ｃ，…とを備えている。その他の構成は、図１の電子血圧計の構成と同じである。
【０１０４】
この図８の電子血圧計では、図２中のステップＳ４において、第１の台数（例えば１台）のポンプおよび第３の台数（例えば１台）の弁（５２Ａとする。）を用いて第１の能力で圧力調節部５０を動作させる。これにより、カフ圧Ｐｃを変化させて、動脈容積変化信号ＰＧａｃの振幅が最大になった振幅最大時点の動脈容積信号ＰＧｄｃの直流成分を、動脈容積についての制御目標値ＰＣ＿Ｖ０として決定する。その後、１心拍ごとの血圧を測定する段階（図２中のステップＳ８〜Ｓ１１）で、カフ圧Ｐｃを制御するために、上記第１の台数よりも多い第２の台数（複数台）のポンプ５１Ａ，５１Ｂ，５１Ｃ，…および上記第３の台数よりも多い第４の台数（複数台）の弁５２Ａ，５２Ｂ，５２Ｃ，…を用いて上記第１の能力よりも高い第２の能力で圧力調節部５０を動作させる。したがって、ポンプ５１Ａ，５１Ｂ，５１Ｃ，…による流体供給能力に応じて弁５２Ａ，５２Ｂ，５２Ｃ，…による流体排出能力を設定できる。これにより、被測定部位に装着されるカフの圧力を適切に制御できる。
【０１０５】
以上の実施形態は例示であり、この発明の範囲から離れることなく様々な変形が可能である。
【符号の説明】
【０１０６】
２０  カフ
３０  圧力検出部
５０  圧力調節部
５１Ａ，５１Ｂ，５１Ｃ，…  ポンプ
５２Ａ，５２Ｂ，５２Ｃ，…  弁
７０  動脈容積検出部
１００  ＣＰＵ
【図１】
2014014556.tif 000004
【図２】
2014014556.tif 000005
【図３】
2014014556.tif 000006
【図４】
2014014556.tif 000007
【図５】
2014014556.tif 000008
【図６】
2014014556.tif 000009
【図７】
2014014556.tif 000010
【図８】
2014014556.tif 000011
【図９】
2014014556.tif 000012
【図１０】
2014014556.tif 000013
【図１１】
2014014556.tif 000014